(57)【特許請求の範囲】
【請求項１】
浴湯を張ることができる浴槽と、浴槽内の浴湯面より下方へ細泡を吐出する気泡式ジェット装置と、浴槽内の浴湯面より上方へ泡径が細泡より小さい泡剤を含む微細泡を吐出する微細泡供給装置とを備えたことを特徴とする入浴システム。
【発明の詳細な説明】
【技術分野】
【０００１】
本発明は、浴槽の浴湯面を温泡の泡層で覆う入浴システムに関するものである。
【背景技術】
【０００２】
従来、浴槽に張った浴湯が冷えないようにする浴槽装置としては、浴槽の浴湯面上に泡を供給して浴湯面を泡層で覆うための泡供給手段を設けたものがある（特許文献１）。
【０００３】
また、泡で入浴ができる泡式入浴システムとしては、浴槽と、浴槽に温かな泡（以下、「温泡」と言う。）を供給する温泡供給装置と、浴槽内に向けて温泡を吐出させる吐出口と、温泡供給装置と吐出口を連通させる温泡供給路（ダクト）とを備えたものがある（特許文献２）。
【先行技術文献】
【特許文献】
【０００４】
【特許文献１】特開２００９−２２６５８号公報
【特許文献２】特開２００３−１１６７３０号公報
【発明の概要】
【発明が解決しようとする課題】
【０００５】
ところで、前記浴槽装置に前記泡式入浴システムを適用して、浴槽の浴湯面上に外径の略等しい温泡を供給して一層の泡層で浴湯面上を覆った入浴装置にして、温泡の泡層で入浴を楽しむようにすることが考えられる。
【０００６】
しかし、外径の略等しい温泡からなる一層の泡層のみでは、泡層の質感が一種類のみであり楽しむ範囲も限られる。
【０００７】
そこで、本発明は、楽しむ範囲を広げられるように、質感の異なる二種類の泡層を楽しむことができる入浴システムの提供を目的とする。
【課題を解決するための手段】
【００１２】
質感の異なる二種類の泡層を楽しむことができるようにするために請求項１記載の本発明が採用した手段は、図１（Ａ）及び図２に示す如く、浴湯Ｂを張ることができる浴槽３と、浴槽内３ａの浴湯面Ｂａより下方へ細泡ｄを吐出する気泡式ジェット装置４と、浴槽内３ａの浴湯面Ｂａより上方へ泡径が細泡ｄより小さい泡剤を含む微細泡ｅを吐出する微細泡供給装置５とを備えたことを特徴とする入浴システム２である。
【００１３】
請求項１記載の本発明にあっては、図１（Ａ）に示す如く、浴槽３に張った浴湯Ｂへ気泡式ジェット装置４から吐出した細泡ｄが、浴湯Ｂ内を浮上して浴湯面Ｂａ上に細泡層Ｄを形成すると共に、微細泡供給装置５から浴槽内３ａへ吐出した微細泡ｅが、細泡層Ｄの上に微細泡層Ｅを形成する。
【発明の効果】
【００２０】
請求項１記載に係る入浴システムは、浴湯面上に下層の細泡層及び上層の微細泡層を形成することができ、形成した細泡層と微細泡層とでは質感が異なるため、入浴者が質感の異なる泡層を楽しむことが可能となり、楽しむ範囲を広げることができる。また、浴湯面より上方へ微細泡を吐出するので、微細泡が浴槽内の浴湯で潰されることがなくなると共に、浴槽内の浴湯で微細泡の水分分離が促進されることもない。更に、細泡は微細泡よりも効率的に発生させることができるため、下方に細泡層があることにより素早く泡量を確保できる。
【図面の簡単な説明】
【００２２】
【図１】本発明の第１の実施の形態に係る入浴装置１及び入浴システム２を示すものであって、図（Ａ）は浴槽３を断面した側面図、図（Ｂ）は平面図である。
【図２】前記入浴システム２の全体を示す概略図である。
【図３】前記入浴システム２を構成する微細泡生成装置１４を示す概略図である。
【図４】本発明の第２の実施の形態に係る入浴装置４１及び入浴システム４２を示すものであって、図（Ａ）（Ｂ）は泡層の異なる積層状態を示すものである。
【図５】前記入浴システム４２の全体を示す概略図である。
【図６】本発明の第３の実施の形態に係る入浴システム５２の全体を示す概略図である。
【図７】前記入浴システム５２を構成する泡生成装置５４を示す概略図である。
【発明を実施するための形態】
【００２３】
本発明に係る入浴システム（以下、「本発明入浴システム」という）を図面に示す実施形態に基づいて説明する。
【００２４】
（第１の実施の形態）
図１乃至図３は第１の実施の形態の入浴装置１及び本発明入浴システム２を示すものである。本実施の形態に係る本発明入浴システム２は、図１及び図２に示す如く、浴湯Ｂを張ることができる浴槽３と、浴槽内３ａの設定される浴湯面Ｂａより下方へ細泡ｄを湯水ｂと共に吐出する気泡式ジェット装置４と、浴槽内３ａの浴湯面Ｂａより上方へ泡径が細泡ｄより小さい微細泡ｅを吐出する微細泡供給装置５とを備えている。
【００２５】
前記気泡式ジェット装置４は、図２に示す如く、浴槽３に取付けた吸引口具６及び吐出口具７からなる口具の二組と、各組の吐出口具７に付設した細泡発生具８と、各組の吸引口具６と吐出口具７とを連結する二系統の配管９Ａ，９Ｂと、二系統の配管９Ａ，９Ｂの途中に設けたポンプ１０と、ポンプ１０を起動・停止させるリモコン付き制御部１１とを備えている。二系統の配管９Ａ，９Ｂは、一台のポンプ１０の部分で合流及び分流している。気泡式ジェット装置４は、起動したポンプ１０で浴槽内３ａの浴湯Ｂを各組の吸引口具６を介して吸引し、二系統の配管９Ａ，９Ｂを通じて各組の吐出口具７へ湯水ｂとして圧送し、各吐出口具７の細泡発生具８に設けられているエゼクタ部を通過する湯水ｂの動圧で空気を吸引して多数の細泡ｄを発生させ、多数の細泡ｄを湯水ｂと共に各組の吐出口具７から浴槽内３ａの浴湯Ｂ内へ吐出するようにしてある。気泡式ジェット装置４は、細泡ｄの平均外径が１．０〜２．０ｍｍの範囲で選択できるように、細泡発生具８のエゼクタ部を調整してある。
【００２６】
前記一方の系統の配管９Ａは、ポンプ１０と吐出口具７を連結する途中に第１の三方弁１２を設け、ポンプ１０から圧送される湯水ｂの供給先を、吐出口具７又は微細泡供給装置５の後述する微細泡生成装置１４に切り替えられるようにしてある。また、前記他方の系統の配管９Ｂは、ポンプ１０と吐出口具７を連結する途中に第２の三方弁１３を設け、ポンプ１０から圧送される湯水ｂの供給先を、吐出口具７又は後述する吐出具１５の湯水用流路１５ｂに切り替えられるようにしてある。
【００２７】
前記微細泡供給装置５は、図２に示す如く、前記ポンプ１０から第１の三方弁１２及び一方の湯水用分岐管１６を介して湯水ｂの供給を受ける微細泡生成装置１４と、浴槽内３ａの設定される浴湯面Ｂａより上方の高さ位置から浴槽内３ａへ向かって吐出する吐出具１５と、微細泡生成装置１４と吐出具１５とを連結する微細泡用配管１８と、微細泡生成装置１４を起動・停止させるリモコン付き制御部１１とを備えている。吐出具１５は、内部に微細泡用流路１５ａ及び湯水用流路１５ｂが独立して設けられ、微細泡用流路１５ａの上流端に微細泡用配管１８を接続すると共に下流端に二個又は一個の吐出口を開設してある。吐出具１５の湯水用流路１５ｂは、上流端に他方の湯水用分岐管１７を介して前記第２の三方弁１３に接続すると共に、下流端に二個又は一個の吐出口を開設してある。なお、本例では、図１に示す如く、吐出具１５の吐出口の高さ位置を、浴槽３の上端リム部３ｂより上方にしてある。
【００２８】
前記微細泡生成装置１４は、図３に示す如く、泡発生部２０、空気供給部２１及び泡剤供給部２２と、これらを制御するリモコン付き制御部１１（図２参照）とを備えている。泡発生部２０は、泡剤入りの貯留水２３を貯留する容器体２４と、貯留水２３をバブリングするためのノズル２５と、貯留水２３を設定温度に加熱する電気ヒータ等からなる加熱具２６と、容器体２４内の貯留水２３の液量（水位）を検知する液面センサ２７を備えている。泡剤供給部２２は、上流端を前記一方の湯水用分岐管１６に接続すると共に下流端を容器体２４に開口した引込み配管２８と、引込み配管２８の途中に設けた泡剤混合部２９と、引込み配管２８における泡剤混合部２９より上流の途中に設けた開閉弁３０とを備え、前記ポンプ１０（図２参照）から供給される湯水ｂに、泡の発生を促進すると共に消泡し難くして泡の維持を図るための泡剤（例えば、糖質液，オイル又は洗剤液等）を設定割合で混入して泡剤入りの貯留水２３を調製しつつ、液面センサ２７の検出信号に基づいて開閉弁３０を開閉制御して貯留水２３を容器体２４内に供給して、貯留水２３の水面２３ａが設定水位となるようにしてある。
【００２９】
前記微細泡生成装置１４は、容器体２４の上部に、発生した温泡である微細泡ｅを放出する泡放出口２４ａを有し、泡放出口２４ａと吐出具１５の微細泡用流路１５ａ（図２参照）とを微細泡用配管１８で連結してある。前記バブリング用ノズル２５は、空気噴出孔２５ａが分散して設けられ、空気供給部２１のコンプレッサから供給された圧縮空気を空気噴出孔２５ａから噴出する際に、泡剤入りの貯留水２３内に泡を発生させる（バブリング）。泡発生部２０は、ノズル２５と空気供給部２１の間に設けた圧縮空気用開閉弁３１の開閉操作で微細泡ｅの発生又は停止を行なうようにしてある。微細泡生成装置１４は、微細泡ｅの平均外径が１００〜３００μｍの範囲で設定できるように、バブリング用ノズル２５の空気噴出孔２５ａの孔径寸法値を設定すると共に供給される圧縮空気の圧力値を調節できるようにしてある。
【００３０】
なお、前記微細泡生成装置１４は、ポンプ１０で圧送される湯水ｂを用いる以外に、給湯器等（図示略）から供給される新しい湯水を用いて入浴に適した温度の微細泡ｅを生成するように構成することも可能である。この場合には、泡剤供給部２２の引込み配管２８の上流端に、給湯器等の湯水供給管を接続するとよい。また、微細泡生成装置１４は、水道管等（図示略）から供給される冷水を用いて微細泡ｅからなる冷泡を生成するように構成して、夏場に対応できるようにすることも可能である。更に、微細泡生成装置１４は、給湯器と水道管等に上流側を接続した湯水混合水栓から供給される入浴に適した温度の温水乃至冷水を用いて微細泡ｅを生成するように構成することもある。
【００３１】
前記浴槽３は、図１に示す如く、給湯器（図示略）から給湯された湯水を吐出口具７又は水栓（図示略）から浴槽内３ａへ吐出させるように配管され（図示略）、浴湯Ｂを張ることができるようにしてある。
【００３２】
本発明入浴システム２で浴槽内３ａへ微細泡ｅを供給させる運転態様のときには、図２に示す如く、浴槽３に浴湯Ｂを張った状態でポンプ１０を起動させ、気泡式ジェット装置４の吐出口具７から湯水ｂと共に吐出する多数の細泡ｄを浴湯Ｂ内で浮上させて、図１（Ａ）に示すように浴湯面Ｂａ上に温泡である細泡ｄからなる細泡層Ｄを形成すると共に、起動した微細泡供給装置５の吐出具１５から浴槽３ａ内へ吐出する微細泡ｅを細泡層Ｄ上に積層させて、細泡層Ｄ上に温泡である微細泡ｅからなる微細泡層Ｅを形成して、入浴装置１を得ることができる。
【００３３】
入浴者は、微細泡層Ｅの層厚みが所望寸法（例えば、２０〜１００ｍｍ）となったならば微細泡供給装置５を停止させ、微細泡ｅの消泡で微細泡層Ｅの層厚みが小さくなったならば微細泡供給装置５を再起動させるとよい。また、入浴者は、浴湯Ｂに含有する泡剤の成分が少ないときには細泡層Ｄの細泡ｄが消泡し易いので、気泡式ジェット装置４のポンプ１０を連続又は断続的に運転させるとよい。
【００３４】
本発明入浴システム２で得た入浴装置１は、図１（Ａ）に示す如く、浴槽３の浴湯面Ｂａ上を覆う泡剤を含む泡層が、細泡ｄからなる細泡層Ｄと泡径が細泡ｄより小さい微細泡ｅからなる微細泡層Ｅとの二層からなり、細泡層Ｄと微細泡層Ｅとでは質感が異なるため、入浴者が好みや気分に合わせて質感の異なる泡層を楽しむことが可能となり、入浴者の楽しむ範囲を広げることができる。
【００３５】
本発明入浴システム２は、浴槽内３ａへの微細泡ｅの供給を停止させる運転態様のときには、図２に示す如く、第１の三方弁１２を切り替えて、微細泡供給装置５の微細泡生成装置１４への湯水ｂの供給を停止させると共に、ポンプ１０で圧送される湯水ｂを一方の配管９Ａを介して吐出口具７から浴槽３の浴湯Ｂ内へ細泡ｄと共に吐出させ、更に、第２の三方弁１３を切り替えて、他方の湯水用分岐管１７を介して吐出具１５の湯水用流路１５ｂの吐出口から浴槽内３ａへ向けて湯水ｂを吐出させることができる。
【００３６】
本発明入浴システム２は、以下に示す効果もある。例えば、浴槽３の湯面Ｂａ上に細泡層Ｄのみを生成した場合には冬場等の場合には外気より冷たくなり易いが、細泡層Ｄの上に加熱により温められ、熱を持った微細泡層Ｅを生成することにより、微細泡ｅの熱がその下の細泡層Ｄに伝わっていき、冷たくなり難い快適な泡入浴が実現可能となる。
【００３７】
また、微細泡生成装置１４の微細泡ｅの生成能力が十分でない場合であっても、細泡ｄを効率よく発生できる気泡式ジエット装置４で素早く細泡層Ｄを生成して水位をかせぎ、その上に微細泡層Ｅを生成することで、所望の水位にまで短時間で細泡ｄおよび微細泡ｅを発生させての入浴が可能となる。このような泡発生を行なうと、コンパクトで安価な微細泡生成装置１４により実現が可能となる。
【００３８】
（第２の実施の形態）
図４及び図５は第２の実施の形態の入浴装置４１及び本発明入浴システム４２を示すものである。本実施の形態に係る本発明入浴システム４２は、図５に示す如く、浴湯Ｂを張ることができる浴槽３と、浴槽内３ａの浴湯面Ｂａより上方へ細泡ｆと泡径が細泡ｆより小さい微細泡ｅとを選択的に吐出できる泡供給装置４３とを備えている。
【００３９】
前記泡供給装置４３は、浴槽内３ａの設定される浴湯面Ｂａより上方の高さ位置から浴槽内３ａへ向かって吐出する吐出具１５と、浴槽３に取付けた吸引口具４６と、吐出具１５と吸引口具４６とを連結する一方の系統の配管９Ｃ及び泡用配管４８と、配管９Ｃの途中に上流側から下流側へ向かって順番に設けたポンプ１０，開閉弁４４及び第３の三方弁４５と、第３の三方弁４５と泡用配管４８の間に設けた微細泡生成装置１４及び細泡生成装置４７とを備えている。微細泡生成装置１４及び細泡生成装置４７は、各々の上流側を三方弁４５の異なる分配ポートに分岐配管９Ｃａ，９Ｃｂを介して接続すると共に、各々の下流側を吐出具１５の泡用流路１５ａに泡用配管４８を介して接続してある。吸引口具４６で吸引してポンブ１０で圧送される湯水ｂは、三方弁４５の選択した分配ポートを介して微細泡生成装置１４又は細泡生成装置４７へ供給される。
【００４０】
前記吐出具１５及び微細泡生成装置１４は、前記第１の実施の形態に係る吐出具１５及び微細泡生成装置１４の組合せと実質的に同一であり、泡の平均外径が１００〜３００μｍの範囲で設定した微細泡ｅを生成して吐出具１５の泡用流路１５ａへ供給するように構成してある。前記細泡生成装置４７は、前記第１の実施の形態に係る微細泡生成装置１４と同様に構成され、泡の平均外径が１．０〜２．０ｍｍの範囲で設定した細泡ｆを生成して吐出具１５の泡用流路１５ａへ供給するように、図３に示すバブリング用ノズル２５の空気噴出孔２５ａの孔径寸法値及びノズル２５へ供給する圧縮空気の圧力値を調整してある。微細泡生成装置１４及び細泡生成装置４７は、各泡剤供給部２２の泡剤混合部２９で混合する泡剤を異なる種類のものにして、異なる質感や香りの微細泡ｅ及び細泡ｆが得られようにすることもある。
【００４１】
本発明入浴システム４２は、微細泡生成装置１４及び細泡生成装置４７を停止させた使用態様のときに、細泡ｆの混入した湯水ｂを浴槽３の浴湯Ｂへ吐出させることができるようにするために、第１の実施の形態と同様に、浴槽３に取付けた吸引口具６及び吐出口具７と、吐出口具７に付設した細泡発生具８と、吸引口具６と吐出口具７とを連結する他の系統の配管９Ｂと、配管９Ｂの途中に設けたポンプ１０とからなる気泡式ジェット装置５０を備えている。気泡式ジェット装置５０は、配管９Ｂにおけるポンプ１０より下流側の部分に開閉弁４９及び第２の三方弁１３を設け、ポンプ１０が圧送する湯水ｂを吐出具１５の湯水用流路１５ｂ若しくは吐出口具７へ供給又は停止できるようにしてある。開閉弁４９は、閉にすることで、微細泡生成装置１４及び細泡生成装置４７の運転中に、吐出具１５及び吐出口具７から湯水を吐出させないようにすることができる。
【００４２】
前記微細泡生成装置１４及び細泡生成装置４７の一方又は両方は、ポンプ１０で圧送される浴湯からなる湯水ｂを用いて温泡を生成する以外に、給湯器等（図示略）から供給される新しい湯水を用いて入浴に適した温度の微細泡ｅ及び細泡ｆを生成するように構成することも可能である。この場合には、第３の三方弁４５に入口ポートに給湯器等の湯水供給管を接続するとよい。また、微細泡生成装置１４及び細泡生成装置４７の一方又は両方は、水道管等（図示略）から供給される冷水を用いて微細泡ｅ又は細泡ｆからなる冷泡を生成するように構成して、夏場に対応できるようにすることも可能である。更に、微細泡生成装置１４及び細泡生成装置４７の一方又は両方は、給湯器と水道管等に上流側を接続した湯水混合水栓から供給される入浴に適した温度の温水乃至冷水を用いて微細泡ｅ又は細泡ｆを生成するように構成することもある。
【００４３】
本発明入浴システム４２で浴槽内３ａへ細泡ｆ及び微細泡ｅを選択的に供給させる運転態様のときには、図５に示す開閉弁の４４を開くと共に気泡式ジェット装置５０の開閉弁４９を閉じ、浴槽３に浴湯Ｂを張った状態でポンプ１０を起動させ、第３の三方弁４５の切替で湯水ｂが先に供給される細泡生成装置４７及び微細泡生成装置１４の一方を起動させると共に他方を停止させ、図４（Ａ）（Ｂ）に示すよう吐出具１５から細泡ｆ又は微細泡ｅを吐出させて下層の細泡層Ｆ又は微細泡層Ｅを所望厚み（例えば、２０〜１００ｍｍ）形成し、その後に、細泡生成装置４７及び微細泡生成装置１４の起動・停止を切替て、吐出具１５から微細泡ｅ又は細泡ｆを吐出させて上層の微細泡層Ｅ又は細泡層Ｆを所望厚み（例えば、２０〜１００ｍｍ）形成して、本発明入浴装置４１を得ることができる。
【００４４】
本発明入浴システム４２で得た入浴装置４１は、浴槽３の浴湯面Ｂａ上を覆った泡層が、細泡ｆからなる細泡層Ｆと、泡径が細泡ｆより小さい微細泡ｅからなる微細泡層Ｅとの二層からなり、細泡層Ｆと微細泡層Ｅとでは質感が異なるため、入浴者が質感の異なる泡層を楽しむことが可能となり、入浴者の楽しむ範囲を広げることができる。
【００４５】
本発明入浴システム４２は、浴槽内３ａへの細泡ｆ及び微細泡ｅの供給を停止させる運転態様のときには、図５に示す開閉弁の４４を閉じると共に気泡式ジェット装置５０の開閉弁４９を開き、ポンプ１０で圧送される湯水ｂを第２の三方弁１３の切り替えで、吐出口具７から浴槽３の浴湯Ｂ内へ細泡ｆと共に吐出させる態様と、吐出具１５の湯水用流路１５ｂの吐出口から浴槽内３ａへ向かって湯水ｂを吐出させる態様とを選択することができる。
【００４６】
（第３の実施の形態）
図６及び図７は第３の実施の形態の本発明入浴システム５２を示すものである。本実施の形態に係る本発明入浴システム５２は、泡供給装置５３を一台の泡生成装置５４で細泡ｆと泡径が細泡ｆより小さい微細泡ｅとを選択的に生成できるようにしことが前記第２の実施の形態の本発明入浴システム４２（図５参照）と大きく異なり、その他の部分については第２の実施の形態と実質的に同一であり、図６において図５と同一符号は相当部分を示す。
【００４７】
本実施の形態に係る本発明入浴システム５２は、図６に示す如く、浴湯Ｂを張ることができる浴槽３と、浴槽内３ａの浴湯面Ｂａより上方へ細泡ｆと泡径が細泡ｆより小さい微細泡ｅとを選択的に吐出できる泡供給装置５３とを備えている。
【００４８】
前記泡供給装置５３は、浴槽内３ａの設定される浴湯面Ｂａより上方の高さ位置から浴槽内３ａへ向かって吐出する吐出具１５と、浴槽３に取付けた吸引口具４６と、吐出具１５と吸引口具４６とを連結する一方の系統の配管９Ｃ及び泡用配管５６と、配管９Ｃの途中に上流側から下流側へ向かって順番に設けたポンプ１０及び開閉弁４４と、開閉弁４４と泡用配管５６の間に設けた泡生成装置５４とを備えている。
【００４９】
前記泡生成装置５４は、図７に示す如く、泡発生部５７、空気供給部６１及び泡剤供給部２２と、これらを制御するリモコン付き制御部１１（図２参照）とを備えている。泡発生部５７は、泡剤入りの貯留水２３を貯留する容器体２４と、貯留水２３をバブリングするためのノズル２５及びノズル５５の二組と、貯留水２３を設定温度に加熱する電気ヒータ等からなる加熱具２６と、容器体２４内の貯留水２３の液量（水位）を検知する液面センサ２７を備えている。泡剤供給部２２は、前記第１の実施の形態（図３参照）と実質的に同一であるため説明を省略する。貯留水２３は、第１及び第２の実施の形態と同様に、浴槽３内の浴湯Ｂを用いる以外に、給湯器及び／又は水道管から供給される入浴に適した温度の温水乃至冷水を用いるようにすることもある。
【００５０】
前記バブリング用ノズル２５は、微細泡ｅを発生させるものであり、空気噴出孔２５ａが分散して設けられ、空気供給部６１から供給された圧縮空気を空気噴出孔２５ａから噴出する際に、泡剤入りの貯留水２３内に微細泡ｅを発生させる。また、バブリング用ノズル５５は、細泡ｆを発生させるものであり、空気噴出孔５５ａが分散して設けられ、空気供給部６１から供給された圧縮空気を空気噴出孔５５ａから噴出する際に、泡剤入りの貯留水２３内に細泡ｆを発生させる。
【００５１】
前記空気供給部６１は、ノズル２５，５５とコンプレッサ６２との間に三方弁等からなる弁６４及び圧力調節具６５，６５を設け、コンプレッサ６２から供給される圧縮空気を弁６４で切替えてノズル２５又はノズル５５へ供給するようになっている。ノズル２５は、微細泡ｅの平均外径が１００〜３００μｍの範囲で設定できるように、空気噴出孔２５ａの孔径寸法値を設定すると共に、圧力調節具６５で調節された圧縮空気が供給されるようになっている。また、ノズル５５は、細泡ｆの平均外径が１．０〜２．０ｍｍの範囲で設定できるように、空気噴出孔５５ａの孔径寸法値を設定すると共に、圧力調節具６５で調節された圧縮空気が供給されるようになっている。
【００５２】
本発明入浴システム５２で浴槽内３ａへ細泡ｆ及び微細泡ｅを選択的に供給させる運転態様のときには、図６に示す開閉弁の４４を開くと共に気泡式ジェット装置５０の開閉弁４９を閉じ、浴槽３に浴湯Ｂを張った状態でポンプ１０を起動させて湯水ｂを泡生成装置５４へ供給する。続けて、本発明入浴システム５２は、図７に示す如く、泡生成装置５４の空気供給部６１の弁（本例では三方弁）６４の切替で微細泡用ノズル２５及び細泡用ノズル５５の何れか一方へ圧力調節済みの圧縮空気を供給して、微細泡ｅ及び細泡ｆの何れか一方を先に生成し、図４（Ａ）（Ｂ）に示すよう吐出具１５から微細泡ｅ又は細泡ｆを吐出させて下層の微細泡層Ｅ又は細泡層Ｆを所望厚み（例えば、２０〜１００ｍｍ）形成し、その後に、弁６４を切替えて微細泡用ノズル２５及び細泡用ノズル５５の他方へ圧力調節済みの圧縮空気を供給して、微細泡ｅ及び細泡ｆの他方を吐出させて上層の細泡層Ｆ又は微細泡層Ｅを所望厚み（例えば、２０〜１００ｍｍ）形成して、本発明入浴装置４１を得ることができる。
【符号の説明】
【００５３】
３…浴槽、３ａ…浴槽内、４…気泡式ジェット装置、５…微細泡供給装置、６…吸引口具、７…吐出口具、８…細泡発生具、９Ａ…一方の系統の配管、９Ｂ…他方の系統の配管、９Ｃａ…分岐管、９Ｃｂ…分岐管、１０…ポンプ、１１…リモコン付き制御部、１２…第１の三方弁、１３…第２の三方弁、１４…微細泡生成装置、１５…吐出具、１５ａ…微細泡用流路、１５ｂ…湯水用流路、１６…一方の湯水用分岐管、１７…他方の湯水用分岐管、１８…微細泡用配管、２０…泡発生部、２１…空気供給部、２２…泡剤供給部、２３…貯留水、２３ａ…水面、２４…容器体、２４ａ…泡放出口、２５…ノズル、２５ａ…空気噴出孔、２６…加熱具、２７…液面センサ、２８…引込み配管、２９…泡剤混合部、３０…開閉弁、３１…圧縮空気用開閉弁、４３…泡供給装置、４４…開閉弁、４５…第３の三方弁、４６…吸引口具、４７…細泡生成装置、４８…泡用配管、４９…開閉弁、５０…気泡式ジェット装置、５２…本発明入浴システム、５３…泡供給装置、５４…泡生成装置、５５…ノズル、５５ａ…空気噴出孔、５６…泡用配管、５７…泡発生部、５８…空気調整部、６１…空気供給部、６２…空気源、６３…空気調整部、６４…弁、６５…圧力調節具、Ｂ…浴湯、Ｂａ…浴湯面、ｂ…湯水、Ｄ…細泡層、ｄ…細泡、Ｅ…微細泡層、ｅ…微細泡、Ｆ…細泡層、ｆ…細泡
【図１】
0005534802.tif 000002
【図２】
0005534802.tif 000003
【図３】
0005534802.tif 000004
【図４】
0005534802.tif 000005
【図５】
0005534802.tif 000006
【図６】
0005534802.tif 000007
【図７】
0005534802.tif 000008